(57)【要約】      （修正有）【課題】従来の高価な罠による課題を解決し、安価であって、野生動物の通り道に簡単に設置でき、しかも、野生動物の足に絡めさせて捕獲する方法及び装置を提供する。【解決手段】野生動物の通り道に複数枚の所要広さの網１を上下方向に所要間隔をもって張設し、張設した網１内に踏み込んだ動物の足首に網目を絡ませて動きを抑制して捕獲する野生動物の捕獲方法および、所要広さの複数枚の網１と、網１の四隅を支持して張設する４本の杭木２とからなり、網１は目合いの大きさの異なるものが使用され、杭木２は先端を先細に形成するとともにその上方部分に網１のコーナ部を挟み込んで支持する複数段の切込み線４が設けられ、杭木２を網１の広さに合わせて地面に打ち込み、地面側から複数段に亘って網１の四隅を切込み線４に挟み込んで張設できる野生動物の捕獲装置。【選択図】図１
2020184940.tif 000002
【特許請求の範囲】
【請求項１】
野生動物の通り道に複数枚の所要広さの網を上下方向に所要間隔をもって張設し、
該張設した網内に動物が踏み込ませて動物の足首に網目を絡ませて動きを抑制して捕獲する
ことを特徴とする野生動物の捕獲方法。
【請求項２】
野生動物の通り道に設置される装置であって、
所要広さの複数枚の網と、該網の四隅を支持して張設する４本の杭木とからなり、
前記網は目合いの大きさの異なるものが使用され、
前記杭木は先端を先細に形成するとともにその上方部分に前記網のコーナ部を挟み込んで支持する複数段の切込み線が設けられ、
該杭木を網の広さに合わせて地面に打ち込み、地面側から複数段に亘って前記網の四隅を前記切込み線に挟み込んで張設できる構成にしたこと
を特徴とする野生動物の捕獲装置。
【請求項３】
前記張設される網は、使用場所によって目立たないように着色し、且つ網の目合いは、下段の網の方が小さい目合いであること
を特徴とする請求項２に記載の野生動物の捕獲装置。
【発明の詳細な説明】
【技術分野】
【０００１】
本発明は、例えば、畑の作物を食い荒らす有害な野生動物、例えば、イノシシ、熊、鹿、タヌキ、キツネ、ヌートリア、アライグマ、野犬、サル、ウサギ、ハクビシン、イタチ等を捕獲する方法及び装置に関するものである。
【背景技術】
【０００２】
この種の野生動物を捕獲する装置としては、複数の公知技術が知られている。その第１の公知技術は、下かご体の開口部に上かご体を開閉自在に覆設する形状の装置本体と、下かご体の内部に配置された踏み板と、踏み板と相互に連動して上かご体を開状態で係止し、且つ開状態の係止を解除する働きをなす作動機構部と、下かご体に敷設した下側ロック体と上かご体に敷設した上側ロック体とを組み合わせて成る自動ロック部とを備えて成る捕獲装置であって、前記下かご体の上部形状を、閉鎖側端部に近い一部上面を残し、その上面から侵入側端部に向けて傾斜する開口部を設けた形状とし、また前記上かご体を、下かご体の上面に取り付けられた回動軸を支点として上下方向に回動可能とするとともに、該上かご体の前部に、前記作動機構部に係止するためのコ字型アームを突設して設け、さらに前記自動ロック部の下側ロック体を、平板状の基礎に矢印形状のロック体を立設して形成し、また上側ロック体を、前記ロック棒の形状に対応して揺動する揺動片が方形枠内で相対向状に配置された構成としたことを特徴とする野生動物の捕獲装置、である（特許文献１）。
【０００３】
この第１の公知技術に係る捕獲装置は、下かご体と上かご体を用いてワニ口型と称される形状に形成し、使用状態に設置した場合に、侵入口周辺が広く開放された形態となっているので、捕獲対象の動物が警戒心を抱かずに侵入し易いという極めて重要な効果を奏するとともに、上かご体の開状態での係止とその係止状態の解除を、踏み板と作動機構部の相互の働きで行うようになっているので、非常に操作性に優れており、且つ低コストで製造された廉価な製品を提供することができるという顕著な効果もある、というものである。
【０００４】
第２の公知技術に係る捕獲装置は、括り罠取り付け座の上に括り罠を固定し、前記括り罠は移動部と固定部を有するバネ機構と、前記バネ機構の築盛状態を解除しないように係止する係止装置と、先端部が締め込み可能な環状の括り輪を構成する括りワイヤから成り、前記バネ機構の移動部の先端部近傍にバネを蓄製状態で係止する係止具を備えるとともに前記括りワイヤの括り輪の元部を取り付け、前記バネ機構の固定部の先端部近傍に前記係止装置を固定し、前記係止装置には前記係止具を係止する係止ピンを取り付けた引き金を有し、前記係止装置の引き金にはエサを取り付ける紐または棒の一端を固定し、前記括りワイヤーの括り輪は前記エサの外周に位置するように配置したことを特徴とする取付座付括り罠、である（特許文献２）。
【０００５】
この第２の公知技術に係る取付座付括り罠は、括り罠取り付け座の上に括り罠一式を取り付け、括り罠取り付け座を地上や棚や立木の上などに固定するだけで、地面に穴を掘る等の特別な作業を必要としない設置作業が非常に簡単な括り罠を構成している。しかもエサを使用し、エサを食べようと集まった野生動物がエサを持ち上げた瞬間にバネの復元力により野生動物の手首や鼻等を括り輪のワイヤで括るようにしているので、樹上で生活するサルや主として手を使用して食するアライグマの他、地上を歩行、走行する野生動物等を捕獲することができる。また、野生のハクビシン、狸等の捕獲にも効果がある、というものである。
【０００６】
さらに、第３の公知技術に係る括り罠の作動装置は、ワイヤーで野生動物の足を括ることで前記野生動物を捕獲する括り罠においてその一部を構成し、待機形態と作動形態との間で変形可能な括り罠の作動装置であって、内側に開口部を有し、前記開口部の周囲に取付面を有する取付ベースと、前記取付けベースの前記取付面に直接的又は間接的に一対で配置され、それぞれが半枠状で両端部を回転軸として倒れ位置と跳ね上げ位置との間を回動可能で、前記倒れ位置では一対で枠状となり周囲にテンションを加えた状態の前記ワイヤーを保持可能なワイヤーガイドと、前記ワイヤーガイドを常に前記跳ね上げ位置に向けて付勢する跳ね上げ用弾性体と、前記取付ベースの前記開口部の中心を挟み前記取付ベースの前記取付面に直接的又は間接的に一対で配置され、それぞれ、前記取付ベースの前記取付面に沿って外側位置と内側位置との間を移動可能なトリガーベースと、前記待機形態では平面的に見て一部又は全部が前記開口部と重なるとともに、前記トリガーベースを前記外側位置に留めるように一対の前記トリガーベース間に挟まれ、前記作動形態では少なくとも一端部が前記トリガーベース間から外れるトリガーと、前記トリガーベースを常に前記内側位置に向けて付勢するトリガー用弾性体とを備え、前記トリガーベースは、前記外側位置にあるときには前記倒れ位置にあるワイヤーガイドと重なり、前記内側位置にあるときには前記倒れ位置にあるワイヤーガイドと重ならないように突出するアーム部を有する、括り罠の作動装置、である（特許文献３）。
【０００７】
この第３の公知技術に係る括り罠の作動装置によれば、餌を前足で把持する特性をもった野生動物に対し、前足の高い位置をワイヤーで括りやすく、このような野生動物の捕獲に適した括り罠の作動装置および括り罠を提供できる、というものである。
【先行技術文献】
【特許文献】
【０００８】
【特許文献１】実用新案登録第３１４４１５９号登録公報
【特許文献２】特開２０１６−５９２８９号公報
【特許文献３】特許第６４９８８２８号特許公報
【発明の開示】
【発明が解決しようとする課題】
【０００９】
前記公知例に係る第１の従来技術においては、下かご体と上かご体とでワニ口型と称される形状に形成して設置するものであるが、野生動物と言えども人間に対する警戒心が強いので、かご状に形成され人間の匂いがする構造物には、中にエサが有っても、なかなか入り込まないのが実情であり、多くの場合、この種の構造物では捕獲に失敗しているのである。
【００１０】
また、前記第２の従来技術においては、特に、サル等手を使用してエサを食する動物の捕獲に効果があるとしており、また、捻りバネを使用していることからイノシシや鹿などの大型野生動物が通る場所に設置すると捕獲する前に括り罠や座板が壊れてしまい、機能を失うという問題点を有している。
【００１１】
さらに、前記第３の従来技術においては、エサを前足で把持する特性をもった野生動物を捕獲する括り罠であって、罠の中にエサを置いて、そのエサに前足を挿入したときにワイヤーガイドを跳ね上げて前足をワイヤーで括るというものであり、跳ね上げ用弾性体やトリガー用弾性体が必要であり、構成が著しく複雑であって、高価な装置になっている割には、捕獲野生動物に限りがあるとともに、人間に対する警戒心が強い動物に対しては機能しないので、捕獲の効率が悪いという問題点を有している。
【００１２】
本発明の主たる目的は、前記課題を解決し且つ極めて安価であって、野生動物の通り道に簡単に設置でき、しかも、野生動物の足に絡めさせて捕獲する方法及び装置を提供することである。
【課題を解決するための手段】
【００１３】
本発明は、前記課題を解決する具体的手段として、第１の発明は、野生動物の通り道に複数枚の所要広さの網を上下方向に所要間隔をもって張設し、該張設した網内に動物が踏み込ませて動物の足首に網目を絡ませて動きを抑制して捕獲することを特徴とする野生動物の捕獲方法を提供するものである。
【００１４】
第２の発明は、野生動物の通り道に設置される装置であって、所要広さの複数枚の網と、該網の四隅を支持して張設する４本の杭木とからなり、前記網は目合いの大きさの異なるものが使用され、前記杭木は先端を先細に形成するとともにその上方部分に前記網のコーナ部を挟み込んで支持する複数段の切込み線が設けられ、該杭木を網の広さに合わせて地面に打ち込み、地面側から複数段に亘って前記網の四隅を前記切込み線に挟み込んで張設できる構成にしたことを特徴とする野生動物の捕獲装置を提供するものである。
【００１５】
前記第２の発明においては、前記張設される網は、使用場所によって目立たないように着色し、且つ網の目合いは、下段の網の方が小さい目合いであること；を付加的な要件として含むものである。
【発明の効果】
【００１６】
本発明に係る野生動物の捕獲方法及び捕獲装置は、主として網を張設して使用するので安価であるとともに、動物の動きを抑制して捕獲できるので、動物を痛めず効率よく捕獲できるという優れた効果を奏する。
【図面の簡単な説明】
【００１７】
【図１】本発明の第１の実施の形態に係る野生動物の捕獲装置を示す斜視図である。
【図２】同第２の実施の形態に係る野生動物の捕獲装置を示す斜視図である。
【図３】同実施の形態に係る捕獲装置に使用される杭木を示す側面図である。
【発明を実施するための形態】
【００１８】
本発明を図示の実施の形態に基づいて説明する。
まず、図１に示した第１の実施の形態に係る捕獲装置において、例えば、ポリエチレン樹脂糸製の升目に編成した網１を使用し、該網１の網目の目合いは捕獲しようとする動物の種類によって概ね１〜２０ｃｍ程度の大きさに編成した網１が使用され、該網１の全体の広さは、縦・横の長さが概ね２±０．５ｍ程度のものが使用される。
【００１９】
そして、野生動物の通り道に、図３に示した杭木２を網１の大きさに合わせて、４本の杭木２を２±０．５ｍ間隔で四角形状に設置する。この場合の各杭木２は、全体の長さが略６０ｃｍ程度で、地面に打ち込み易いように先端（下端）を先細３に形成され、その上方部分に２ｃｍ間隔で網１のコーナ部、即ち、隅部を支持する少なくとも複数段、例えば、１０個の切込み線（隙間）４が設けられており、網１の四隅をそれぞれ杭木２の切込み線４に鋏み込んで一番下の切込み線４の高さは地表より概ね３ｃｍ程度になるように形成し、その上に２ｃｍ間隔で複数枚の網１を張設できるように形成する。
【００２０】
網１の編成については、結節又は無結節のいずれもが使用可能であり、また、使用場所によって目立たないように、周囲の雰囲気と紛らわしい色に着色した糸が使用される。例えば、緑の多い場所では緑色の糸で編成した網が使用され、踏み均されて土が露出している場所では、土色に着色した糸で編成された網が使用される。また、杭木２も周囲に生えている樹木とあまり変わらないようなものが使用されるのである。いずれにしても、周囲の雰囲気と際立って目立たないような網１と杭木２とが使用されて設置されるのである。
【００２１】
また、張設される網１は、１枚ではなく上下方向に２ｃｍ間隔をもって複数枚張設されるのであるが、好ましくは、網目の大きさの異なる網を張設する。この場合、捕獲しようとする動物の大きさによって網目の大きさが異なるが、それでも網目の小さな網を下段に張設し、それよりも網目の大きい網を順次上段に張設するのであり、少なくとも３枚（段）以上張設する。このように複数枚の網１を張設することにより、動物が張設した網１内に踏み込んだ時に、３枚（段）の網１のいずれかの網目に足首が引っ掛かると、網１が杭木２から外れることになり、さらに、もがけばもがく程他の網１の網目が他の足の足首に巻き付く状態になり、幾重にも巻き付いて足首から外れなくなって、杭木２から外れた複数の網１によって容易に歩行できなくなり、設置場所から近い範囲で捕獲できるのである。
【００２２】
いずれにしても、野生動物の通り道に複数枚の網１を上下方向に所要間隔をもって張設し、該張設した網１内に動物が踏み込みさえすれば、動物の足首に網目が絡まって抜けなくなることで、動物の動きを抑制して効率よく捕獲することができるのである。また、網１の張設は、複数段の切込み線４を設けた杭木２を使用することで簡単に張設することができるのである。
【産業上の利用可能性】
【００２３】
本発明に係る野生動物の捕獲方法及び捕獲装置は、畑の作物を食い荒らす有害な野生動物の通り道に、複数枚の所要広さの網１を上下方向に所要間隔をもって張設し、該張設した網１内に動物が踏み込ませて動物の足首に網目を絡ませて動きを抑制して捕獲する方法であり、また、所要広さの複数枚の網１と、該網の四隅を支持して張設する４本の杭木２とからなり、前記網１は目合いの大きさの異なるものが使用され、前記杭木２は先端を先細３に形成するとともにその上方部分に前記網１のコーナ部を挟み込んで支持する複数段の切込み線４が設けられ、該杭木２を網１の広さに合わせて地面に打ち込み、地面側から複数段に亘って前記網１の四隅を前記切込み線４に挟み込んで張設できる構成にした捕獲装置であり、主として網１を張設して使用するので安価であるとともに、動物の動きを抑制して捕獲できるので、動物を痛めず効率よく捕獲できるので、畑の周囲の野生動物が通る道に簡単に設置できるので、この種害を受けている畑の周囲に簡単に設置できるので、広く利用できるのである。
【符号の説明】
【００２４】
１  網  
２  杭木
３  先細の先端
４  切込み線
【図１】
2020184940.tif 000003
【図２】
2020184940.tif 000004
【図３】
2020184940.tif 000005